(57)【要約】  信号の有無を正確に検出する。  信号検出器は、入力信号増幅回路、基準信号増幅回路、および、比較器を具備する。この信号検出器において、入力信号増幅回路が、入力信号を所定のゲインにより増幅する。基準信号増幅回路が、所定のゲインに実質的に一致するゲインにより一定の信号レベルの基準信号を増幅する。比較器が、増幅された入力信号と増幅された基準信号とのそれぞれの信号レベルを比較して当該比較結果を検出信号として出力する。
2016103845.tif 000002
【特許請求の範囲】
【請求項１】
入力信号を所定のゲインにより増幅する入力信号増幅回路と、
前記所定のゲインに実質的に一致するゲインにより一定の信号レベルの基準信号を増幅する基準信号増幅回路と、
前記増幅された入力信号と前記増幅された基準信号とのそれぞれの信号レベルを比較して当該比較結果を検出信号として出力する比較器と
を具備する信号検出器。
【請求項２】
前記入力信号および前記基準信号は、一定の周期で値が変化する周期信号であり、
前記基準信号の周波数は、前記入力信号より低い
請求項１記載の信号検出器。
【請求項３】
前記増幅された入力信号の振幅を検出して前記比較器に前記信号レベルとして供給する入力信号振幅検出回路と、
前記増幅された基準信号の振幅を検出して前記比較器に前記信号レベルとして供給する基準信号振幅検出回路と
をさらに具備する請求項２記載の信号検出器。
【請求項４】
前記入力信号振幅検出回路は、前記増幅された入力信号に対する全波整流により前記入力信号の振幅を検出し、
前記基準信号振幅検出回路は、前記増幅された基準信号に対する全波整流により前記基準信号の振幅を検出する
請求項３記載の信号検出器。
【請求項５】
前記入力信号振幅検出回路は、前記増幅された入力信号のピーク値を前記入力信号の振幅として検出し、
前記基準信号振幅検出回路は、前記増幅された基準信号のピーク値を前記基準信号の振幅として検出する
請求項３記載の信号検出器。
【請求項６】
前記入力信号増幅回路は、
前記入力信号を前記所定のゲインにより増幅する入力側アンプと、
前記増幅された入力信号に基づいて前記入力側アンプのオフセット電圧を補償する入力側オフセット補償回路と
を備え、
前記基準信号増幅回路は、
前記基準信号を前記所定のゲインにより増幅する基準側アンプと、
前記増幅された基準信号に基づいて前記基準側アンプのオフセット電圧を補償する基準側オフセット補償回路と
を備える請求項１記載の信号検出器。
【請求項７】
前記入力信号増幅回路は、
前記入力信号を前記所定のゲインにより増幅する入力側アンプと、
所定の遮断周波数より高い高周波数成分を通過させる入力側ハイパスフィルタと
を備え、
前記基準信号増幅回路は、
前記基準信号を前記所定のゲインにより増幅する基準側アンプと、
前記所定の遮断周波数より高い高周波数成分を通過させる基準側ハイパスフィルタと
を備える請求項１記載の信号検出器。
【請求項８】
入力信号を所定のゲインにより増幅する入力信号増幅回路と、
前記所定のゲインに実質的に一致するゲインにより一定の信号レベルの基準信号を増幅する基準信号増幅回路と、
前記増幅された入力信号と前記増幅された基準信号とのそれぞれの信号レベルを比較して当該比較結果を検出信号として出力する比較器と
前記入力信号の信号レベルが前記基準信号より高いことを示す前記検出信号が出力された場合には前記増幅された入力信号に対する所定の信号処理を行う信号処理部と
を具備する電子装置。
【請求項９】
入力信号増幅回路が、入力信号を所定のゲインにより増幅する入力信号増幅手順と、
基準信号増幅回路が、前記所定のゲインに実質的に一致するゲインにより一定の信号レベルの基準信号を増幅する基準信号増幅手順と、
比較器が、前記増幅された入力信号と前記増幅された基準信号とのそれぞれの信号レベルを比較して当該比較結果を検出信号として出力する比較手順と
を具備する信号検出器の制御方法。
【発明の詳細な説明】
【技術分野】
【０００１】
本技術は、信号検出器、電子装置、および、信号検出器の制御方法に関する。詳しくは、基準レベルを超える信号の有無を検出する信号検出器、電子装置、および、信号検出器の制御方法に関する。
【背景技術】
【０００２】
従来より、通信装置などにおいては、受信信号が微弱な場合に、その信号を増幅するために増幅回路が用いられている。ただし、この増幅回路では、受信信号のみならず、ノイズも増幅してしまう。このため、増幅回路により増幅された信号が受信信号であるのか、または、ノイズであるのか（言い換えれば、受信信号の有無）を判定する信号検出器を設ける必要がある。受信信号であれば、その信号検出器の後段の信号処理回路において、受信信号に対して信号処理が行われ、ノイズであれば、その信号処理は行われない。例えば、増幅後の信号の信号レベルと固定の基準レベルとを比較するコンパレータを設けて、信号レベルが基準レベルより高いか否かにより受信信号の有無を検出する信号検出器が提案されている（例えば、非特許文献１参照。）。
【先行技術文献】
【非特許文献】
【０００３】
【非特許文献１】W. B. Chen, et al, “A Limiting Amplifier with LOS Indication for Gigabit Ethernet（登録商標）”, IEEE International Conference on Electron Devices and Solid-State Circuits (EDSSC), 2008
【発明の概要】
【発明が解決しようとする課題】
【０００４】
しかしながら、上述の信号検出器では、プロセス、電圧および温度の条件である、いわゆるＰＶＴ（Process/Voltage/Temperature）条件の変化により増幅回路のゲインが大きく変動すると、受信信号の有無が誤って検出されることがある。例えば、ＰＶＴ条件の変化により増幅回路のゲインが大きくなると、増幅後のノイズのレベルが基準レベルより高くなり、ノイズが受信信号であると誤って検出されるおそれがある。一方、ゲインが小さくなると、増幅後の信号レベルが基準レベル以下となり、受信信号が入力されているにもかかわらず、受信信号が未入力と誤って検出されるおそれがある。このように、上述の通信装置では、信号の有無を正確に検出することができないという問題がある。【０００５】
本技術はこのような状況に鑑みて生み出されたものであり、信号の有無を正確に検出することを目的とする。
【課題を解決するための手段】
【０００６】
本技術は、上述の問題点を解消するためになされたものであり、その第１の側面は、入力信号を所定のゲインにより増幅する入力信号増幅回路と、前記所定のゲインに実質的に一致するゲインにより一定の信号レベルの基準信号を増幅する基準信号増幅回路と、前記増幅された入力信号と前記増幅された基準信号とのそれぞれの信号レベルを比較して当該比較結果を検出信号として出力する比較器とを具備する信号検出器、および、その制御方法である。これにより、実質的に同一のゲインにより増幅された入力信号と基準信号とのそれぞれの信号レベルが比較されるという作用をもたらす。【０００７】
また、この第１の側面において、前記入力信号および前記基準信号は、一定の周期で値が変化する周期信号であり、前記基準信号の周波数は、前記入力信号より低くてもよい。これにより、入力信号より低い周波数の基準信号が増幅されるという作用をもたらす。【０００８】
また、この第１の側面において、前記増幅された入力信号の振幅を検出して前記比較器に前記信号レベルとして供給する入力信号振幅検出回路と、前記増幅された基準信号の振幅を検出して前記比較器に前記信号レベルとして供給する基準信号振幅検出回路とをさらに具備してもよい。これにより、増幅された入力信号および基準信号の振幅が検出されるという作用をもたらす。【０００９】
また、この第１の側面において、前記入力信号振幅検出回路は、前記増幅された入力信号に対する全波整流により前記入力信号の振幅を検出し、前記基準信号振幅検出回路は、前記増幅された基準信号に対する全波整流により前記基準信号の振幅を検出してもよい。これにより、全波整流により振幅が検出されるという作用をもたらす。【００１０】
また、この第１の側面において、前記入力信号振幅検出回路は、前記増幅された入力信号のピーク値を前記入力信号の振幅として検出し、前記基準信号振幅検出回路は、前記増幅された基準信号のピーク値を前記基準信号の振幅として検出してもよい。これにより、入力信号および基準信号のピーク値が振幅として検出されるという作用をもたらす。【００１１】
また、この第１の側面において、前記入力信号増幅回路は、前記入力信号を前記所定のゲインにより増幅する入力側アンプと、前記増幅された入力信号に基づいて前記入力側アンプのオフセット電圧を補償する入力側オフセット補償回路とを備え、前記基準信号増幅回路は、前記基準信号を前記所定のゲインにより増幅する基準側アンプと、前記増幅された基準信号に基づいて前記基準側アンプのオフセット電圧を補償する基準側オフセット補償回路とを備えてもよい。これにより、オフセット電圧が保障されるという作用をもたらす。【００１２】
また、この第１の側面において、前記入力信号増幅回路は、前記入力信号を前記所定のゲインにより増幅する入力側アンプと、所定の遮断周波数より高い高周波数成分を通過させる入力側ハイパスフィルタとを備え、前記基準信号増幅回路は、前記基準信号を前記所定のゲインにより増幅する基準側アンプと、前記所定の遮断周波数より高い高周波数成分を通過させる基準側ハイパスフィルタとを備えてもよい。これにより、遮断周波数より高い周波数成分が比較されるという作用をもたらす。【００１３】
また、本技術の第２の側面は、入力信号を所定のゲインにより増幅する入力信号増幅回路と、前記所定のゲインに実質的に一致するゲインにより一定の信号レベルの基準信号を増幅する基準信号増幅回路と、前記増幅された入力信号と前記増幅された基準信号とのそれぞれの信号レベルを比較して当該比較結果を検出信号として出力する比較器と前記入力信号の信号レベルが前記基準信号より高いことを示す前記検出信号が出力された場合には前記増幅された入力信号に対する所定の信号処理を行う信号処理部とを具備する電子装置である。これにより、実質的に同一のゲインにより増幅された入力信号と基準信号とのそれぞれの信号レベルが比較されるという作用をもたらす。
【発明の効果】
【００１４】
本技術によれば、信号の有無を正確に検出することができるという優れた効果を奏し得る。なお、ここに記載された効果は必ずしも限定されるものではなく、本開示中に記載されたいずれかの効果であってもよい。
【図面の簡単な説明】
【００１５】
【図１】第１の実施の形態における通信装置の一構成例を示すブロック図である。
【図２】第１の実施の形態における信号検出器の一構成例を示すブロック図である。
【図３】第１の実施の形態におけるリミッティングアンプおよびレプリカ回路の一構成例を示す回路図である。
【図４】第１の実施の形態におけるアンプ側振幅検出回路の一構成例を示す回路図である。
【図５】第１の実施の形態における時間の経過に伴う振幅の変化の一例を示すグラフである。
【図６】第１の実施の形態における各段の信号レベルおよびノイズレベルの一例を示すグラフである。
【図７】第１の実施の形態における通信装置の動作の一例を示すフローチャートである。
【図８】第２の実施の形態におけるアンプ側振幅検出回路の一構成例を示す回路図である。
【図９】第３の実施の形態におけるリミッティングアンプおよびレプリカ回路の一構成例を示す回路図である。
【図１０】第４の実施の形態におけるリミッティングアンプおよびレプリカ回路の一構成例を示す回路図である。
【図１１】第４の実施の形態におけるリミッティングアンプおよびレプリカ回路のゲイン特性の一例を示すグラフである。
【発明を実施するための形態】
【００１６】
以下、本技術を実施するための形態（以下、実施の形態と称する）について説明する。説明は以下の順序により行う。
１．第１の実施の形態（入力信号および基準信号を増幅する例）
２．第２の実施の形態（入力信号および基準信号を増幅し、ピーク値を保持する例）
３．第３の実施の形態（入力信号および基準信号を増幅し、オフセットを補償する例）
４．第４の実施の形態（入力信号および基準信号を増幅し、ハイパスフィルタを通過させる例）
【００１７】
＜１．第１の実施の形態＞
［通信装置の構成例］
図１は、第１の実施の形態における通信装置１００の一構成例を示すブロック図である。この通信装置１００は、光電変換部１１０、電流電圧変換回路１２０、信号検出器２００、信号処理部１３０および基準信号生成部１４０を備える。光電変換部１１０は、フォトダイオード１１１を備える。
【００１８】
フォトダイオード１１１は、光ファイバーなどを介して受信した光信号を電流信号に変換するものである。このフォトダイオード１１１は、電流信号を電流電圧変換回路１２０に信号線１１９を介して供給する。
【００１９】
電流電圧変換回路１２０は、電流信号を電圧信号に変換するものである。この電流電圧変換回路１２０は、電圧信号を入力信号として信号検出器２００に信号線１２９を介して供給する。この入力信号として、例えば、クロック信号を乗せた差動信号が供給される。
【００２０】
信号検出器２００は、予め設定された一定のレベル（以下、「基準レベル」と称する。）より信号レベルが高い入力信号の有無を検出するものである。信号レベルとしては、例えば、電圧の値が用いられる。この信号検出器２００は、基準信号生成部１４０からの基準信号を用いて、電流電圧変換回路１２０からの入力信号の有無を検出する。信号検出器２００は、検出結果を示す検出信号を信号処理部１３０に信号線２０９を介して供給する。また、信号検出器２００は、入力信号を増幅して、出力信号として信号処理部１３０に供給する。
【００２１】
基準信号生成部１４０は、基準レベルの信号を基準信号として生成するものである。この基準信号として、例えば、クロック信号を乗せた差動信号が生成される。基準信号生成部１４０は、生成した基準信号を信号検出器２００に信号線１４９を介して供給する。ここで、基準信号生成部１４０は、入力信号よりも低い周波数のクロック信号を基準信号として生成することが望ましい。
【００２２】
信号処理部１３０は、検出信号に基づいて、信号検出器２００からの出力信号に対して所定の信号処理を行うものである。例えば、基準レベルより高い信号レベルの入力信号があったことを検出信号が示す場合には、信号処理部１３０は、出力信号に対して復調処理などを信号処理として行う。
【００２３】
なお、通信装置１００は、電圧信号を入力信号として信号検出器２００に入力しているが、信号処理部１３０が電流入力に対応している場合などにおいて、電流信号を入力信号として入力してもよい。この場合には、電流電圧変換回路１２０を通信装置１００に設ける必要はない。また、信号レベルとして、電流の値が用いられる。
【００２４】
また、通信装置１００に信号検出器２００を設けているが、通信装置以外の電子装置に信号検出器２００を設けてもよい。また、通信装置１００は、特許請求の範囲に記載の電子装置の一例である。
【００２５】
［信号検出器］
図２は、第１の実施の形態における信号検出器２００の一構成例を示すブロック図である。この信号検出器２００は、リミッティングアンプ２１０、アンプ側振幅検出回路２２０、コンパレータ２４０、レプリカ側振幅検出回路２５０およびレプリカ回路２６０を備える。
【００２６】
リミッティングアンプ２１０は、入力信号を所定のゲインにより増幅するものである。このリミッティングアンプ２１０には、例えば、互いに位相が１８０度異なる正側入力信号および負側入力信号からなる入力信号が入力される。リミッティングアンプ２１０は、この入力信号を、所定のゲインＧａにより、一定の制限レベルを超えない範囲で増幅してアンプ側振幅検出回路２２０に供給する。
【００２７】
また、リミッティングアンプ２１０は、入力信号をＧａより大きなゲインＧｂにより一定の制限レベルを超えない範囲で増幅し、出力信号として信号処理部１３０に供給する。この出力信号は、互いに位相が１８０度異なる正側出力信号および負側出力信号を含む。
【００２８】
アンプ側振幅検出回路２２０は、増幅後の入力信号の振幅を信号レベルとして検出するものである。このアンプ側振幅検出回路２２０は、検出した振幅（すなわち、信号レベル）をコンパレータ２４０の非反転入力端子（＋）に供給する。なお、アンプ側振幅検出回路は、特許請求の範囲に記載の入力側振幅検出回路の一例である。
【００２９】
レプリカ回路２６０は、ゲインＧａに実質的に一致するゲインＧａ’により基準信号を増幅するものである。このレプリカ回路２６０には、例えば、互いに位相が１８０度異なる正側基準信号および負側基準信号からなる基準信号が入力される。ここで、ＧａおよびＧａ’が実質的に一致するとは、ＧａおよびＧａ’の差分が、所定の許容範囲（例えば、±０．１デシベル）内であることを意味する。レプリカ回路２６０は、増幅した基準信号をレプリカ側振幅検出回路２５０に供給する。なお、レプリカ回路２６０は、特許請求の範囲に記載の基準信号増幅回路の一例である。
【００３０】
また、レプリカ回路２６０のゲインをリミッティングアンプ２１０のゲインに一致させているが、この構成に限定されない。電流電圧変換回路１２０にもアンプが設けられるため、このアンプのゲインをさらに考慮して、レプリカ回路２６０のゲインを設定してもよい。デシベル表記で、電流電圧変換回路１２０のゲインがＧｃである場合には、Ｇａ＋Ｇｃと同一のゲインがレプリカ回路２６０のゲインとして設定される。
【００３１】
また、前述したように、基準信号生成部２４０が、入力信号より低い周波数の基準信号を生成する構成とすれば、レプリカ回路２６０の消費電力を低減することができる。
【００３２】
レプリカ側振幅検出回路２５０は、増幅後の基準信号の振幅を信号レベルとして検出するものである。このレプリカ側振幅検出回路２５０は、検出した振幅（すなわち、信号レベル）をコンパレータ２４０の反転入力端子（−）に供給する。なお、レプリカ側振幅検出回路は、特許請求の範囲に記載の基準側振幅検出回路の一例である。
【００３３】
コンパレータ２４０は、増幅後の入力信号の信号レベル（振幅）と、増幅後の基準信号の信号レベル（振幅）とを比較して比較結果を検出信号として出力するものである。このコンパレータ２４０として、例えば、ヒステリシス付コンパレータが用いられる。ここで、ヒステリシス付コンパレータとは、出力端子がハイレベルからローレベルに反転する際の入力端子間の電圧と、出力端子がローレベルからハイレベルに反転する際の入力端子間の電圧とが異なるコンパレータである。なお、ヒステリシスの付いていないコンパレータをコンパレータ２４０として設けてもよい。また、コンパレータ２４０は、特許請求の範囲に記載の比較器の一例である。
【００３４】
なお、信号検出器２００において、入力信号および基準信号は差動信号であるが、これらの信号は、シングルエンド信号であってもよい。また、入力信号および基準信号は、クロック信号を乗せた信号であるが、クロック信号に該当しない信号であってもよい。入力信号および基準信号が、周期的に変化しない信号である場合には、アンプ側振幅検出回路２２０およびレプリカ側振幅検出回路２５０を信号検出器２００に設ける必要はない。
【００３５】
［リミッティングアンプおよびレプリカ回路の構成例］
図３は、第１の実施の形態におけるリミッティングアンプ２１０およびレプリカ回路２６０の一構成例を示す回路図である。同図におけるａは、リミッティングアンプ２１０の一構成例を示す回路図であり、同図におけるｂは、レプリカ回路２６０の一構成例を示す回路図である。
【００３６】
リミッティングアンプ２１０は、所定段数の差動アンプ２１２からなる前段アンプ２１１と、所定段数の差動アンプ２１９からなる後段アンプ２１８とを備える。前段アンプ２１１は、入力信号をゲインＧａにより増幅するものである。この前段アンプ２１１は、増幅した入力信号をアンプ側振幅検出回路２２０と、後段アンプ２１８とに供給する。なお、差動アンプ２１２は、特許請求の範囲に記載の入力側アンプの一例である。
【００３７】
後段アンプ２１８は、前段アンプ２１１からの入力信号を増幅して出力信号として信号処理部１３０へ出力するものである。これらの前段アンプ２１１および後段アンプ２１８の全体のゲインが、前述のＧｂに相当する。具体的には、後段アンプ２１８のゲインは、デシベル表記では、Ｇｂ−Ｇａとなる。
【００３８】
ここで、前段アンプ２１１の段数には、その前段アンプ２１１における増幅後の信号レベルが、制限レベル以下となる最大値が設定される。例えば、前段アンプ２１１および後段アンプ２１８の合計の段数が１０段で、５段目で信号レベルが制限レベルを超える場合には、前段アンプ２１１の段数は、４段に設定される。信号レベルが制限される５段目以降においては、信号レベルが制限される一方、ノイズレベルは制限レベルに達しない限り増幅されて、信号とノイズとの切り分けが困難となるためである。
【００３９】
なお、信号検出器２００には、信号レベルを制限するリミッティングアンプ２１０を設けているが、信号レベルの制限を行わない増幅回路をリミッティングアンプ２１０の代わりに設けてもよい。この構成において、その増幅回路には、所定段数の差動アンプ２１２が設けられ、その最終段の出力端子が信号処理部１３０およびアンプ側振幅検出回路２２０に接続される。
【００４０】
一方、レプリカ回路２６０には、所定段数の差動アンプ２６１が設けられる。この差動アンプ２６１の段数には、前段アンプ２１１のゲインとレプリカ回路２６０のゲインとが実質的に同一となる値が設定される。例えば、差動アンプ２１２のゲインと差動アンプ２６１のゲインとが同一である場合には、それらの段数は同一に設定される。また、差動アンプ２６１のゲインが、デシベル表記で差動アンプ２１２のゲインの２倍である場合には、差動アンプ２６１の段数は、差動アンプ２１２の段数の半分に設定される。また、ＰＶＴ条件の変動に対する差動アンプ２６１のゲイン特性は、差動アンプ２１２と実質的に同一である。なお、差動アンプ２６１は、特許請求の範囲に記載の基準側アンプの一例である。
【００４１】
［アンプ側振幅検出回路の構成例］
図４は、第１の実施の形態におけるアンプ側振幅検出回路２２０の一構成例を示す回路図である。このアンプ側振幅検出回路２２０は、全波整流回路２２１を備える。全波整流回路２２１は、差動トランジスタ２２２および２２３と、定電流源２２５と、コンデンサ２２４とを備える。差動トランジスタ２２２および２２３として、例えば、ｎ型のＭＯＳ（Metal-Oxide-Semiconductor）トランジスタが用いられる。
【００４２】
差動トランジスタ２２２のゲートには、増幅後の正側入力信号が入力され、ドレインは電源に接続され、ソースは、定電流源２２５、差動トランジスタ２２３、コンデンサ２２４およびコンパレータ２４０に接続される。また、差動トランジスタ２２３のゲートには、増幅後の負側入力信号が入力され、ドレインは電源に接続され、ソースは、定電流源２２５、差動トランジスタ２２２、コンデンサ２２４およびコンパレータ２４０に接続される。また、コンデンサの一端は、電源に接続され、他端は、差動トランジスタ２２２および２２３と定電流源２２５とコンパレータ２４０とに接続される。なお、レプリカ側振幅検出回路２５０の構成は、アンプ側振幅検出回路２２０と同様である。
【００４３】
上述の構成により、差動トランジスタ２２２および２２３は、正側入力信号および負側入力信号の差に応じた電流を出力し、その電流によりコンデンサ２２４が充電される。この結果、正側入力信号および負側入力信号からなる差動信号の振幅が検出される。
【００４４】
図５は、第１の実施の形態における時間の経過に伴う振幅の変化の一例を示すグラフである。同図における縦軸は、信号レベルの高さを示し、横軸は時間を示す。また、実線は、正側入力信号の信号レベルの変動を示し、細い点線は負側入力信号の信号レベルの変動を示す。一点鎖線は、振幅の検出結果を示し、太い点線は、レプリカ回路２６０において増幅された基準レベルを示す。
【００４５】
図５に例示するように、正側入力信号および負側入力信号からなる差動信号の振幅が、例えば、時刻Ｔ１において増幅後の基準レベルを超えると、コンパレータ２４０において信号が有ると判定される。そして、時刻Ｔ２において、増幅後の基準レベル以下に振幅が低下すると、信号が無いと判定される。
【００４６】
図６は、第１の実施の形態における各段の信号レベルおよびノイズレベルの一例を示すグラフである。同図における縦軸は、信号レベルを示し、横軸はアンプの段数を示す。同図におけるａは、前段アンプ２１１およびレプリカ回路２６０のそれぞれの信号レベルおよびノイズレベルの一例を示すグラフである。同図のａにおいて、太い実線は、最大のゲインにより増幅されたデータ信号の信号レベルを示し、太い点線は、最小のゲインにより増幅されたデータ信号の信号レベルを示す。また、一点鎖線は、最大のゲインにより増幅された基準レベルを示し、二点鎖線は、最小のゲインにより増幅された基準レベルを示す。また、細い実線は、最大のゲインにより増幅されたノイズのノイズレベルを示し、細い点線は、最小のゲインにより増幅されたノイズレベルを示す。
【００４７】
一方、図６におけるｂは、非特許文献１に記載のように、基準レベルを固定値とした信号検出器における信号レベルおよびノイズレベルの一例を示すグラフである。同図のｂにおいて、太い実線は、最大のゲインにより増幅されたデータ信号の信号レベルを示し、太い点線は、最小のゲインにより増幅されたデータ信号の信号レベルを示す。また、一点鎖線は基準レベルを示す。また、細い実線は、最大のゲインにより増幅されたノイズレベルを示し、細い点線は、最小のゲインにより増幅されたノイズレベルを示す。
【００４８】
ＰＶＴ条件の変化によりゲインが最大となった場合を考える。この場合において、基準レベルを固定とすると、図６におけるｂに示すように、増幅後のノイズレベルが基準レベルを超えてしまうおそれがある。この結果、ノイズがデータ信号であると誤って検出されるおそれがある。これに対して、信号検出器２００では、同図におけるａに示すように、基準レベルも同じゲインで増幅されるため、増幅後においてノイズレベルが基準レベル以下となり、誤検出を防止することができる。
【００４９】
また、ゲインが最小となった場合、基準レベルが固定値の信号検出器では、増幅後の信号レベルが基準レベル以下になり、データ信号が入力されているにも関わらず、データ信号が無いと誤って検出されるおそれがある。これに対して、信号検出器２００では、図６におけるａに示すように、基準レベルも同じゲインで増幅されるため、増幅後において信号レベルが基準レベルより大きくなり、誤検出を防止することができる。
【００５０】
［信号検出器の動作例］
図７は、第１の実施の形態における通信装置１００の動作の一例を示すフローチャートである。この動作は、例えば、通信装置１００に電源が投入されたときに開始する。通信装置１００におけるリミッティングアンプ２１０およびレプリカ回路２６０は、入力信号および基準信号を増幅する（ステップＳ９０１）。
【００５１】
そして、アンプ側振幅検出回路２２０およびレプリカ側振幅検出回路２５０は、増幅後の入力信号および基準信号の振幅を検出する（ステップＳ９０２）。コンパレータ２４０は、入力信号の振幅と、基準信号との振幅を比較して、データ信号の有無を検出する（ステップＳ９０３）。
【００５２】
また、信号処理部１３０は、データ信号が有るか否かを判断する（ステップＳ９０４）。データ信号が有る場合に（ステップＳ９０４：Ｙｅｓ）、信号処理部１３０は、所定の信号処理を行う（ステップＳ９０５）。データ信号が無い場合（ステップＳ９０４：Ｎｏ）、または、ステップＳ９０５の後、信号処理部１３０は、ステップＳ９０４に戻る。
【００５３】
このように、本技術の第１の実施の形態によれば、信号検出器２００は、入力信号および基準信号の両者を実質的に同一のゲインにより増幅して、両者を比較するため、ＰＶＴ条件によりゲインが増減した場合であっても信号の有無を正確に検出することができる。
【００５４】
＜２．第２の実施の形態＞
上述の第１の実施の形態の信号検出器２００では、全波整流回路２２１により振幅を検出していたが、全波整流回路２２１以外の回路により振幅を検出することもできる。例えば、信号検出器２００は、信号のピーク値を保持するピークホールド回路により振幅を検出してもよい。この第２の実施の形態の信号検出器２００は、ピークホールド回路により振幅を検出する点において第１の実施の形態と異なる。
【００５５】
図８は、第２の実施の形態におけるアンプ側振幅検出回路２２０の一構成例を示す回路図である。第２の実施の形態のアンプ側振幅検出回路２２０は、全波整流回路２２１の代わりにピークホールド回路２３０を備える。このピークホールド回路２３０は、コンパレータ２３１、ダイオード２３２、コンデンサ２３３、抵抗２３４およびオペアンプ２３５を備える。
【００５６】
コンパレータ２３１の非反転入力端子（＋）には、増幅後の正側入力信号および負側入力信号の一方が入力され、反転入力端子（−）は、オペアンプ２３５の反転入力端子（−）および出力端子とコンパレータ２４０とに接続される。また、コンパレータ２３１の出力端子は、ダイオード２３２のアノードに接続される。また、ダイオード２３２のカソードは、コンデンサ２３３および抵抗２３４と、オペアンプ２３５の非反転入力端子（＋）とに接続される。この構成により、増幅後の正側入力信号または負側入力信号のピーク値が振幅として、コンデンサ２３３に保持される。なお、第２の実施の形態のレプリカ側振幅検出回路２５０にも、アンプ側振幅検出回路２２０と同様に、ピークホールド回路が設けられる。
【００５７】
なお、アンプ側振幅検出回路２２０は、正側入力信号および負側入力信号の一方のピーク値のみを検出しているが、両方のピーク値を検出してもよい。この場合には、正側入力信号のピーク値を検出するピークホールド回路と、負側入力信号のピーク値を検出するピークホールド回路とがアンプ側振幅検出回路２２０に設けられる。また、これらのピークホールド回路の後段に、各ピーク値の平均値を求める回路が設けられる。
【００５８】
また、アンプ側振幅検出回路２２０は、差動信号をシングルエンド信号に変換してから、ピーク値を検出してもよい。この場合には、ピークホールド回路２３０の前段に、差動信号をシングルエンド信号に変換する変換回路がさらに設けられる。
【００５９】
このように、第２の実施の形態によれば、信号検出器２００は、入力信号および基準信号のピーク値を振幅として検出するピークホールド回路２３０を設けたため、クロック信号等の周期信号の有無を検出することができる。
【００６０】
＜３．第３の実施の形態＞
上述の第１の実施の形態の信号検出器２００では、リミッティングアンプ２１０およびレプリカ回路２６０のオフセット電圧を補償していなかった。しかし、このオフセット電圧が大きいと、出力信号のデューティ比が変動して、信号処理部１３０においてデューティエラーが生じるおそれがある。このため、オフセット電圧を補償するオフセット補償回路を設けることが望ましい。この第３の実施の形態の信号検出器２００は、オフセット補償回路を設けた点において第１の実施の形態と異なる。
【００６１】
図９は、第３の実施の形態におけるリミッティングアンプ２１０およびレプリカ回路２６０の一構成例を示す回路図である。同図におけるａは、第３の実施の形態におけるリミッティングアンプ２１０の一構成例を示す回路図であり、同図におけるｂは、第３の実施の形態におけるレプリカ回路２６０の一構成例を示す回路図である。
【００６２】
第３の実施の形態のリミッティングアンプ２１０は、オフセット補償回路２１３をさらに備える点において第１の実施の形態と異なる。オフセット補償回路２１３は、最終段の差動アンプ２１２から出力された信号を、１段目の差動アンプ２１２の入力端子に帰還させて、オフセット電圧を補償するものである。
【００６３】
ここで、オフセット電圧Ｖofsを考慮すると、前段アンプ２１１により増幅された信号の電圧Ｖoutは、次式により表される。
Ｖout＝Ｇａ×（Ｖin＋−Ｖin−＋Ｖofs）
上式において、Ｖin＋は、正側入力信号の電圧であり、Ｖin−は、負側入力信号の電圧である。
【００６４】
オフセット補償回路２１３は、最終段の差動アンプ２１２から出力された信号に基づいて、オフセット電圧Ｖofsを補償する電圧（−Ｖofs）を生成し、１段目に帰還させる。
【００６５】
また、第３の実施の形態のレプリカ回路２６０にもオフセット補償回路２６２がさらに設けられる。
【００６６】
なお、オフセット補償回路２１３は、特許請求の範囲に記載の入力側オフセット補償回路の一例であり、オフセット補償回路２６２は、特許請求の範囲に記載の基準側オフセット補償回路の一例である。
【００６７】
このように、本技術の第３の実施の形態によれば、信号検出器２００は、オフセット電圧を補償する電圧を生成して帰還させるオフセット補償回路２１３を設けたため、オフセット電圧によるエラーの発生を抑制することができる。
【００６８】
＜４．第４の実施の形態＞
上述の第３の実施の形態の信号検出器２００では、オフセット補償回路によりオフセット電圧を除去していた。このオフセット電圧は直流成分であるため、交流成分を優先して通過させるハイパスフィルタをオフセット補償回路の代わりに設けることによっても、オフセット電圧を除去することができる。この第４の実施の形態の信号検出器２００は、ハイパスフィルタによりオフセット電圧を除去する点において第３の実施の形態と異なる。
【００６９】
図１０は、第４の実施の形態におけるリミッティングアンプ２１０およびレプリカ回路２６０の一構成例を示す回路図である。同図におけるａは、第４の実施の形態におけるリミッティングアンプ２１０の一構成例を示す回路図であり、同図におけるｂは、第４の実施の形態におけるレプリカ回路２６０の一構成例を示す回路図である。
【００７０】
第４の実施の形態の前段アンプ２１１においては、差動アンプ２１２ごとに、コンデンサ２１５および抵抗２１６からなるハイパスフィルタ２１４が設けられる。後段アンプ２１８においても同様に、差動アンプ２１９ごとに、ハイパスフィルタ２１４が設けられる。なお、同図におけるａにおいて、１段目以外の抵抗２１６は、記載の便宜上、省略されている。なお、差動アンプ２１２ごとに、ハイパスフィルタ２１４を設けているが、この構成に限定されず、ハイパスフィルタ２１４の個数は必要に応じて変更することができる。例えば、２つの差動アンプ２１２ごとにハイパスフィルタ２１４を設けてもよい。
【００７１】
コンデンサ２１５および抵抗２１６は、正側および負側のそれぞれに設けられる。正側のコンデンサ２１５は、対応する差動アンプ２１２の正側の出力端子と、その後段の正側の入力端子との間に挿入される。負側のコンデンサ２１５も同様に、対応する差動アンプ２１２の負側の出力端子と、その後段の負側の入力端子との間に挿入される。正側の抵抗２１６の一端は、正側のコンデンサ２１５と差動アンプ２１２の負側の入力端子とに接続され、他端はコモン端子に接続される。負側の抵抗２１６も同様に、その一端が正側のコンデンサ２１５と差動アンプ２１２の負側の入力端子とに接続され、他端はコモン端子に接続される。これらのハイパスフィルタ２１４は、次式に表す遮断周波数ｆｃ以下の周波数の直流成分（オフセット成分など）を除去し、ｆｃより高い周波数の交流成分を通過させる。このように、交流成分を通過させ、アンプ同士を結合する回路は、ＡＣ結合とも呼ばれる。
【数１】
2016103845.tif 000003
【００７２】
式１において、Ｒは抵抗２１５の抵抗値の合計であり、単位は、例えば、オーム（Ω）である。Ｃは、コンデンサ２１６の容量の合計であり、単位は、例えば、ファラッド（Ｆ）である。また、遮断周波数ｆｃの単位は、例えば、ヘルツ（Ｈｚ）である。
【００７３】
一方、レプリカ回路２６０においても、差動アンプ２６１ごとに、コンデンサ２６４および抵抗２６５からなるハイパスフィルタ２６３がさらに設けられる。これらの回路による遮断周波数は、前段アンプ２１１の遮断周波数と実質的に同一に設定される。なお、同図におけるｂにおいて、１段目以外の抵抗２６５は、記載の便宜上、省略されている。なお、差動アンプ２６１ごとに、ハイパスフィルタ２６３を設けているが、この構成に限定されず、ハイパスフィルタ２６３の個数は必要に応じて変更することができる。例えば、２つの差動アンプ２６１ごとにハイパスフィルタ２６３を設けてもよい。
【００７４】
なお、ハイパスフィルタ２１４は、特許請求の範囲に記載の入力側ハイパスフィルタの一例である。また、ハイパスフィルタ２６３は、特許請求の範囲に記載の基準側ハイパスフィルタの一例である。
【００７５】
図１１は、第４の実施の形態におけるリミッティングアンプ２１０およびレプリカ回路２６０のゲイン特性の一例を示すグラフである。同図における縦軸はゲインであり、横軸は、入力信号または基準信号の周波数である。また、実線は、リミッティングアンプ２１０のゲイン特性を示し、一点鎖線は、レプリカ回路２６０のゲイン特性を示す。
【００７６】
ＡＣ結合の遮断周波数ｆｃ以下の周波数帯域では、リミッティングアンプ２１０およびレプリカ回路２６０のゲインは、周波数に応じて変動する。一方、遮断周波数ｆｃより高く、ある周波数ｆｒ以下の周波数帯域では、周波数に関わらずに、ゲインが一定となる。ｆｒより高い周波数帯域では、レプリカ回路２６０のゲインが周波数に応じて変化し、リミッティングアンプ２１０およびレプリカ回路２６０のそれぞれのゲインが異なる値となる。このゲインが一定の周波数帯域内の周波数が、基準信号の周波数として用いられる。
【００７７】
ここで、式１を参照すると、抵抗値Ｒと容量Ｃとの積ＲＣを大きくすれば、遮断周波数ｆｃが低くなり、レプリカ回路２６０のゲインが一定となる周波数帯域を広くすることができるが、一方でレプリカ回路２６０の実装面積が大きくなる。しかし、消費電力低減のために基準信号を入力信号より低速とするのであれば、このような広帯域性は、あまり必要ではない。このため、レプリカ回路２６０のゲインが一定となる周波数帯域を十分に確保することができる範囲内で、ＲＣを小さく設計することにより、レプリカ回路２６０の回路規模を小面積にて実装することができる。
【００７８】
このように、本技術の第４の実施の形態によれば、ハイパスフィルタ２１４および２６３を設けたため、リミッティングアンプ２１０およびレプリカ回路２６０のオフセット電圧を除去して、オフセット電圧によるエラーの発生を抑制することができる。
【００７９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００８０】
なお、ここに記載された効果は必ずしも限定されるものではなく、本開示中に記載されたいずれかの効果であってもよい。
【００８１】
なお、本技術は以下のような構成もとることができる。
（１）入力信号を所定のゲインにより増幅する入力信号増幅回路と、
前記所定のゲインに実質的に一致するゲインにより一定の信号レベルの基準信号を増幅する基準信号増幅回路と、
前記増幅された入力信号と前記増幅された基準信号とのそれぞれの信号レベルを比較して当該比較結果を検出信号として出力する比較器と
を具備する信号検出器。
（２）前記入力信号および前記基準信号は、一定の周期で値が変化する周期信号であり、
前記基準信号の周波数は、前記入力信号より低い
前記（１）記載の信号検出器。
（３）前記増幅された入力信号の振幅を検出して前記比較器に前記信号レベルとして供給する入力信号振幅検出回路と、
前記増幅された基準信号の振幅を検出して前記比較器に前記信号レベルとして供給する基準信号振幅検出回路と
をさらに具備する前記（２）記載の信号検出器。
（４）前記入力信号振幅検出回路は、前記増幅された入力信号に対する全波整流により前記入力信号の振幅を検出し、
前記基準信号振幅検出回路は、前記増幅された基準信号に対する全波整流により前記基準信号の振幅を検出する
前記（３）記載の信号検出器。
（５）前記入力信号振幅検出回路は、前記増幅された入力信号のピーク値を前記入力信号の振幅として検出し、
前記基準信号振幅検出回路は、前記増幅された基準信号のピーク値を前記基準信号の振幅として検出する
前記（３）記載の信号検出器。
（６）前記入力信号増幅回路は、
前記入力信号を前記所定のゲインにより増幅する入力側アンプと、
前記増幅された入力信号に基づいて前記入力側アンプのオフセット電圧を補償する入力側オフセット補償回路と
を備え、
前記基準信号増幅回路は、
前記基準信号を前記所定のゲインにより増幅する基準側アンプと、
前記増幅された基準信号に基づいて前記基準側アンプのオフセット電圧を補償する基準側オフセット補償回路と
を備える前記（１）から（５）のいずれかに記載の信号検出器。
（７）前記入力信号増幅回路は、
前記入力信号を前記所定のゲインにより増幅する入力側アンプと、
所定の遮断周波数より高い高周波数成分を通過させる入力側ハイパスフィルタと
を備え、
前記基準信号増幅回路は、
前記基準信号を前記所定のゲインにより増幅する基準側アンプと、
前記所定の遮断周波数より高い高周波数成分を通過させる基準側ハイパスフィルタと
を備える前記（１）から（７）のいずれかに記載の信号検出器。
（８）入力信号を所定のゲインにより増幅する入力信号増幅回路と、
前記所定のゲインに実質的に一致するゲインにより一定の信号レベルの基準信号を増幅する基準信号増幅回路と、
前記増幅された入力信号と前記増幅された基準信号とのそれぞれの信号レベルを比較して当該比較結果を検出信号として出力する比較器と
前記入力信号の信号レベルが前記基準信号より高いことを示す前記検出信号が出力された場合には前記増幅された入力信号に対する所定の信号処理を行う信号処理部と
を具備する電子装置。
（９）入力信号増幅回路が、入力信号を所定のゲインにより増幅する入力信号増幅手順と、
基準信号増幅回路が、前記所定のゲインに実質的に一致するゲインにより一定の信号レベルの基準信号を増幅する基準信号増幅手順と、
比較器が、前記増幅された入力信号と前記増幅された基準信号とのそれぞれの信号レベルを比較して当該比較結果を検出信号として出力する比較手順と
を具備する信号検出器の制御方法。
【符号の説明】
【００８２】
１００  通信装置
１１０  光電変換部
１１１  フォトダイオード
１２０  電流電圧変換回路
１３０  信号処理部
１４０  基準信号生成部
２００  信号検出器
２１０  リミッティングアンプ
２１１  前段アンプ
２１２、２１９、２６１  差動アンプ
２１３、２６２  オフセット補償回路
２１４、２６３  ハイパスフィルタ
２１５、２２４、２３３、２６４  コンデンサ
２１６、２３４、２６５  抵抗
２１８  後段アンプ
２２０  アンプ側振幅検出回路
２２１  全波整流回路
２２２、２２３  差動トランジスタ
２２５  定電流源
２３０  ピークホールド回路
２３１  コンパレータ
２３２  ダイオード
２３５  オペアンプ
２４０  コンパレータ
２５０  レプリカ側振幅検出回路
２６０  レプリカ回路
【図１】
2016103845.tif 000004
【図２】
2016103845.tif 000005
【図３】
2016103845.tif 000006
【図４】
2016103845.tif 000007
【図５】
2016103845.tif 000008
【図６】
2016103845.tif 000009
【図７】
2016103845.tif 000010
【図８】
2016103845.tif 000011
【図９】
2016103845.tif 000012
【図１０】
2016103845.tif 000013
【図１１】
2016103845.tif 000014
【国際調査報告】
2016103845.tif 000015
2016103845.tif 000016
2016103845.tif 000017
2016103845.tif 000018